(57)【要約】【課題】  防水性能を備え、かつ靴自体が軽量となる軽量靴を提供する。【解決手段】  甲被２と靴底３のうちの少なくとも甲被２がエチレンビニルアセテート（ＥＶＡ）の発泡体により形成され、足首とその上方を覆う筒部４が甲被２に連結され、甲被２よりも柔軟な防水性材料からなるインナーシューズ５が甲被２の内側に一体的に装着または着脱自在に装着されている。【選択図】      図１
2005328906.tif 000002
【特許請求の範囲】
【請求項１】
甲被と靴底のうちの少なくとも甲被がエチレンビニルアセテートの発泡体により形成され、
足首とその上方を覆う筒部が前記甲被に連結され、
前記甲被よりも柔軟な防水性材料からなるインナーシューズが甲被の内側に装着されている軽量靴。
【請求項２】
請求項１において、前記インナーシューズが前記甲被に対して着脱自在である軽量靴。    
【請求項３】
甲被と靴底のうちの少なくとも甲被がエチレンビニルアセテートの発泡体により形成され、
前記甲被よりも柔軟な防水性材料からなるインナーメンブレンが甲被の内面に接合されて甲被よりも上方へ突出している軽量靴。
【請求項４】
請求項３において、前記インナーメンブレンが補強材を介して甲被に縫合されている軽量靴。
【発明の詳細な説明】
【技術分野】
【０００１】
本発明は、防水性能と、優れた運動性能とを兼ね備えた軽量靴に関する。
【背景技術】
【０００２】
従来、防水型シューズとして知られている長靴（いわゆるゴム長）は、防水性能に優れた材料である天然ゴム、合成ゴムのゴム系材料から成型したものであって、その用途から主に防水性能が追及されている。反面、この長靴は合成ゴムで構成されていることで、これを履いたとき、前記合成ゴムの物性に起因して足首を屈曲させるしゃがみ込み動作や屈伸動作がしにくく、運動性能の点で劣っている。したがって、水飛沫などに曝される岩場などを移動して楽しむ磯釣りなどのレジャーでの使用には適さない。
【０００３】
前記運動性能の向上を図った防水型シューズとして、甲本体を構成する外側甲被材（アッパー）と内側裏材（インナーライニング）との間に、前記内側裏材と相似形状の、縫製縫い目をもたない薄い防水層を介在させて、少なくとも内側裏材内に浸水を招かない完全密封型二重ライニングを形成し、前記防水層として、ゴムやウレタン・塩化ビニルなどの合成樹脂・化学材料などにて縫製されずに一体成形されたソックス状のものを用いたものがある（例えば特許文献１参照）。このシューズによれば、防水性能を有するほか、これを履いたとき、足首によくフィットとし、しかも柔軟性があって運動性能にも比較的優れている。
【特許文献１】特開２００１−２７５７１５号公報
【発明の開示】
【発明が解決しようとする課題】
【０００４】
ところが、前記防水シューズは、その構成材が外側甲被材―防水層―内側裏材を積層した３層構造であって、しかも、防水層はゴムやウレタン・塩化ビニルなどの密度の比較的高い合成樹脂・化学材料で形成されているため、シューズ全体が比較的重くなり、長時間履きつづけると、疲労感を伴い、快適なシューズとは言えない。また、製造工程が複雑でコスト高を招く。
【０００５】
そこで、本発明は、防水性能と、優れた運動性能とを兼ね備え、しかも靴全体を軽量化した軽量靴を提供することを目的とする。
【課題を解決するための手段】
【０００６】
上記目的を達成するため、本発明の第1構成に係る軽量靴は、甲被と靴底のうちの少なくとも甲被がエチレンビニルアセテート（ＥＶＡ）の発泡体により形成され、足首とその上方を覆う筒部が前記甲被に連結され、甲被よりも柔軟な防水性材料からなるインナーシューズが甲被の内側に装着されている。
【０００７】
この構成によれば、甲被と靴底のうちの少なくとも甲被は靴全体の主要部を占め、甲被を形成するエチレンビニルアセテート（ＥＶＡ）の発泡体は、密度がきわめて低いので、靴全体を大幅に軽量化することができる。また、前記エチレンビニルアセテート（ＥＶＡ）の発泡体は、防水性にも優れているので、甲被に防水性能を持たせることができる。しかも、甲被の内側に防水性材料からなるインナーシューズが装着されているので、甲被と筒部の連結部から浸水があっても、履用時、足が水で濡れることもない。さらに、前記インナーシューズを形成する防水性材料は、甲被よりも柔軟であるから、足首を屈曲させるしゃがみ込み動作や屈伸動作しがしやすく、靴の運動性能を高めることができ、長時間履きつづけても疲労感を伴わない。
【０００８】
本発明の好ましい実施形態では、インナーシューズが甲被に対して着脱自在である。この構成によれば、仮に甲被と筒部との連結部位から内部に水が浸入してインナーシューズが水で濡れたとしても、このインナーシューズを甲被から容易に取り外して乾燥させることができる。
【０００９】
本発明の第２構成に係る軽量靴は、甲被と靴底のうちの少なくとも甲被がエチレンビニルアセテートの発泡体により形成され、前記甲被よりも柔軟な防水性材料からなるインナーメンブレンが甲被の内面に接合されて甲被よりも上方へ突出している。
【００１０】
この構成によれば、甲被と靴底のうちの少なくとも甲被は靴全体の主要部を占め、これを形成するエチレンビニルアセテートの発泡体は、きわめて軽量であるから、靴全体を大幅に軽量化することができる。また、前記エチレンビニルアセテートの発泡体は、防水性にも優れているので、甲被の防水性能が確保される。しかも、甲被の内面に接合されて甲被よりも上方へ突出しているインナーメンブレンにも防水性があるので、甲被上方に当る足首の防水性能も確保される。さらに、このインナーメンブレンは、甲被よりも柔軟であるから、足首を屈曲させるしゃがみ込み動作や屈伸動作しがしやすく、靴の運動性能を高めることができ、長時間履きつづけても疲労感を伴わない。
【００１１】
本発明の好ましい実施形態では、前記インナーメンブレンが補強材を介して甲被に縫合されている。この構成によれば、甲被部分が甲被―補強材―インナーメンブレンの３層構造となって、ある程度剛直さを持たせることができ、軽量であるのみならず、型崩れしにくい靴とすることができる。
【発明の効果】
【００１２】
本発明に係る軽量靴によれば、防水性能を備えながら、軽量化をも同時に実現できるので、防水用途としてはいうまでもなく、履用したときに疲れにくく、優れた運動性能を発揮する軽量靴とすることができる。
【発明を実施するための最良の形態】
【００１３】
以下、本発明の好ましい実施形態について図面を参照しながら説明する。図１は、本発明の第1実施形態に係る軽量靴の一例である防水性ブーツを図示したものである。同図に示す防水性ブーツ１は、甲被２と、その底部の靴底３と、足首とその上部を覆う筒部４とから構成され、前記甲被２の内部にインナーシューズ５が装着されている。なお、図示しないが、むれ防止のためにインナーシューズ５の内方に靴中敷を使用してもよい。
【００１４】
前記甲被２は、エチレンビニルアセテート（ＥＶＡ）の発泡立体成形による発泡体により形成されている。
【００１５】
靴底３は、天然ゴム、合成ゴムのような滑りにくい材料で形成され、甲被２に対して接着剤で貼り合わせている。前記甲被２と靴底３の両方をエチレンビニルアセテート（ＥＶＡ）の発泡立体成形により一体形成してもよく、その場合には、靴底３の貼り合わせ工程がなくなり、工程の削減となる。また、前記筒部４は、例えばジャージのような甲被２に比べて柔軟な材料で形成され、この筒部４と甲被２とは、縫製６で連結し、内部でその上からシールテープを貼っている。前記筒部４には、縫製もしくは装飾用のステッチ７が付されている。なお、前記筒部４は、必ずしもジャージのような材料でなくともよく、甲被２に比べて柔軟な材料で形成されていればよい。
【００１６】
甲被２の内側には、甲被よりも柔軟な防水性材料からなるインナーシューズ５が装着されている。このインナーシューズ５の防水性材料としては、例えば、ウレタンコートナイロンオックスを用いる。インナーシューズ５の側面図である図２において、所定形状に裁断した底部５ａおよび左右両側部５ｂ，５ｃの各パーツ片をシールテープ５ｄで接合したうえ、甲被２に対して着脱自在なソックス状に形成している。インナーシューズ５の後部には、図３に示すように、連結具として、マジックテープ（登録商標）９ａが貼り付けられている。このインナーシューズ５は、前記甲被２の内側に装着したとき、筒部４から若干上方にはみ出るような長めの寸法設定となっており、甲被２から取り外しやすいように、その後部上端に摘み部８が付けられている。筒部４の後部の内面に、前記インナーシューズ５のマジックテープ９ａと係合するマジックテープ９ｂが貼り付けられている。
【００１７】
上記構成において、前記軽量靴１を構成する甲被２および靴底３のうち、少なくとも甲被２の材料として用いるエチレンビニルアセテート（ＥＶＡ）の発砲体は、エチレンビニルアセテート（ＥＶＡ）を、内部が所定の靴形状に形成された金型内で発泡させて立体成形することにより得られるもので、その特性として柔軟性、高弾性、および優れた低温特性を備え、密度が極めて小さく、防水性と耐摩耗性にも優れている。したがって、甲被２および靴底３を共にエチレンビニルアセテート（ＥＶＡ）の発泡体で形成した場合にはいうまでもなく、ブーツ全体で相対的に大きな比重を占める甲被２のみをエチレンビニルアセテート（ＥＶＡ）の発泡体で形成した場合においても、防水性ブーツ１を従来の場合に比べ、大幅に軽量化することができる。
【００１８】
また、甲被２と筒部４の連結部から浸水があっても、甲被２の内側に防水性材料からなるインナーシューズ５が甲被２の内側に装着されているので、足が濡れることもない。前記インナーシューズ５を形成する防水性材料は、甲被２よりも柔軟であるので、足首の屈曲動作がしやすく、靴の運動性能を高めることができる。
【００１９】
このように、この防水性ブーツ１は、軽量で運動性能に優れ、防水性能をも備えており、足首を屈曲させるしゃがみ込み動作や屈伸動作がしやすいので、長時間履きつづけても疲労感が少なく、例えば磯釣りなどのレジャーでの用途に最適する。インナーシューズ５を着脱自在とした場合には、使用後に、軽量靴１の内部からインナーシューズ５を取り出し、干して乾かすことができるので、インナーシューズ５を清潔に保つことができる。
【００２０】
図４は、本発明の第２実施形態に係る軽量靴の正面図であり、特に、タウンシューズを例示したものである。この実施形態に係るタウンシューズ１０では、甲被２と靴底３の両方が、エチレンビニルアセテート（ＥＶＡ）の発泡立体成形による発泡体により一体形成されている。前記甲被２および靴底３の内面全体には、甲被２よりも柔軟な防水性材料からなるインナーメンブレン１１が接着剤により接合され、甲被２よりも上方に突出している。インナーメンブレン１１の主要部と甲被２の上縁部とを覆う形で、皮革からなる補強材２１が、ステッチ２２により縫合されている。この場合には、補強材２１によってタウンシューズ１０の剛性が高くなるので、タウンシューズ１０が型崩れしにくくなる。なお、補強材２１は割愛してもよい。
【００２１】
また、図５に示すように、インナーメンブレン１１の前部には、このインナーメンブレン１１に取り付けた取付部１２に挿通した靴紐１３が取り付けられている。インナーメンブレン１１の材料としては、第１実施形態で用いたインナーシューズ５と同様、甲被よりも柔軟な防水性材料であるウレタンコートナイロンオックスを用いる。
【００２２】
前記靴底３は、第１実施形態と同様、甲被２と別体にして、滑り止めの目的で天然ゴム、合成ゴムのような材料で形成されたものを用いてもよい。
【００２３】
前記甲被２の表面には、しぼ加工（エンボス加工）によりしぼが付されて皮のような風合いを持たせている。
【００２４】
以上の構成において、本発明に係るタウンシューズ１０は、第１実施形態の場合と同様、靴全体の総重量がきわめて軽量であり、しかも足首に当る部分が甲被２より柔軟な防水性材料よりなるインナーメンブレン１１で形成されているので、運動性に優れ、長時間履きつづけても疲労感が少ない。また、甲被２および前記インナーメンブレン１１がいずれも防水性を備えているので、多少の水に濡れても内部に水が浸入することがない。さらに、甲被２および靴底３のうちの少なくとも甲被２をエチレンビニルアセテート（ＥＶＡ）の発泡立体成形により成形しているので、従来の場合に比べ、製造工程の簡略化が図れ、同時にコストダウンを図ることができる。
【図面の簡単な説明】
【００２５】
【図１】本発明の第１実施形態に係る軽量靴（防水性ブーツ）を示す側面図である。
【図２】図１の軽量靴の内側に装着されるインナーシューズの側面図である。
【図３】図１の縦断面図である。
【図４】本発明の第２実施形態に係る軽量靴（タウンシューズ）を示す側面図である。である。
【図５】同軽量靴（タウンシューズ）の平面図である。
【符号の説明】
【００２６】
１、１０  軽量靴
２  甲被
３  靴底
４  筒部
５  インナーシューズ
１１  インナーメンブレン
２１  補強材
【図１】
2005328906.tif 000003
【図２】
2005328906.tif 000004
【図３】
2005328906.tif 000005
【図４】
2005328906.tif 000006
【図５】
2005328906.tif 000007